(57)【要約】【課題】内部に吊り下げ支持されている衣服の種類や着数、及び衣服が掛けられていない空のハンガーの有無及びその数を容易かつ正確に視認することのできるようにする。【解決手段】前上面部２の下端部と前面部６の上端部間には、コーナー部４を含み、前上面部２と前面部６とに亙る内部が透視可能な樹脂シートからなる窓部１４が形成されている。この窓部１４は矩形であって、コーナー部４よりも前上面部２側の上窓部１４１とコーナー部４よりも前面部６側の下窓部１４２とを一体的に有している。そして、窓部１４の左縦辺と底辺とは、左側面部８と前面部６とに縫着され、上辺と右縦辺とは、スライドファスナー１５の一方のファスナーテープに縫着されている。【選択図】      図１
2004173882.tif 000002
【特許請求の範囲】
【請求項１】
上端から各々斜め下方に延在する前上面部及び後上面部と、これら前後各上面部の下端からコーナー部を介して下方に連なる前面部と後面部、これら前後各上面部と前面部と後面部の側縁に接合された左右側面部とを有し、前記前後各上面部の上端にハンガーロッドを内部に露呈させて該ハンガーロッドに係着する係着部が設けられるとともに、いずれかの面部に開閉手段が設けられ、衣服が掛けられるハンガーのフックを前記内部に露呈しているハンガーに係止する吊り下げ衣服収納具において、
前記コーナー部を含み、前記前上面部と前面部とに亙る内部を透視可能な窓部を形成したことを特徴とする吊り下げ衣服収納具。
【請求項２】
前記開閉手段は、スライドファスナーであって前記窓部を回避した位置に設けられたことを特徴とする請求項１記載の吊り下げ衣服収納具。
【請求項３】
前記スライドファスナーは、前記窓部を回避して前記前上面部と前面部とに亙って設けられたことを特徴とする請求項２記載の吊り下げ衣服収納具。
【請求項４】
前記前面部と後面部と左右側面部の下縁に接合された底面を更に有することを特徴とする請求項１、２又は３記載の吊り下げ衣服収納具。
【発明の詳細な説明】
【０００１】
【発明の属する技術分野】
本発明は、洋服ダンスやクローゼット等のハンガーロッドに係着して使用される吊り下げ衣服収納具に関する。
【０００２】
【従来の技術】
従来、この種吊り下げ衣服収納具として、図７に示すものが実用化されている。すなわち、この吊り下げ衣服収納具５１は、複数着（例えば５着）の衣服を収納可能であって、窓部を除く全体が不織布等の可撓性を有する素材で形成され、上端部から各々斜め下方に延在する前上面部５２と後上面部５３とを有している。この前後各上面部５２、５３の下端には、コーナー部５４、５５を介して略垂直下方に連なる前面部５６と後面部５７とが連設されている。これら前後各上面部５２、５３と前面部５６と後面部５７の側縁には、左側面部５８と右側面部５９の周縁が接合されており、前記前面部５６と後面部５７と左右側面部５８、５９の下縁には、底面部６０の周縁が接合されている。
【０００３】
前記前後各上面部５２、５３の上端には、係着部６１、６２が延設されている。一方の係着部６１の下面側と他方の係着部６２の上面側には、相互に係合する面ファスナー（図示せず）が配設されており、両係着部６１、６２と左右側面部５８、５９の上端部間には、孔６３が設けられている。
【０００４】
また、前面部５６には、透明の樹脂シートを張設してなる窓部６４が設けられている。さらに、前上面部５２と前面部５６の中央部には、該前上面部５２上端から前面部５６の下端までに亘り、窓部６４を縦断するスライドファスナー６５が設けられている。
【０００５】
係る構成において使用に際しては、図示したように、両係着部６１、６２により洋服ダンスやクローゼット等のハンガーロッドＲに係着して、吊り下げ衣服収納具５１をハンガーロッドＲに吊り下げ支持しておく。これにより、ハンガーロッドＲが孔６３に挿通された状態となり、この状態において、ハンガーロッドＲは吊り下げ衣服収納具５１の内部にて、係着部６１、６２の下部に露呈している。
【０００６】
そして、衣服を収納するに際しては、スライドファスナー６５のスライダーを操作して開口し、予めハンガーに掛けておいた衣服を内部に入れ、ハンガーのフックを内部に露呈しているハンガーロッドＲに係止する。しかる後に、スライドファスナー６５を閉じて、各々ハンガーに掛けられた複数着の衣服を保存し、あるいはスライドファスナー６５を開いてハンガーに掛けられている衣服をハンガーごと取り出す。
【０００７】
若しくは、スライドファスナー６５のスライダーを操作して開口し、予め複数本のハンガーの各フックを内部に露呈しているハンガーロッドＲに係止しておく。そして、適宜スライドファスナー６５を操作して開閉し、ハンガーロッドＲに係止されているハンガーに衣服を掛けたり、ハンガーに掛けられている衣服を取り出したりして使用する。
【０００８】
【発明が解決しようとする課題】
しかしながら、係る従来の吊り下げ衣服収納具５１にあっては、前面部５６に透明の窓部６４が設けられている。一方、ハンガーロッドＲの高さ位置は洋服ダンスやクローゼット等によって異なり一定ではなく、吊り下げ衣服収納具５１が係着されるハンガーロッドＲの高さ位置に応じて、窓部６４の高さ位置も変化する。さらに、ユーザの身長も個々に異なることから、目の高さ位置も個々に異なる。
【０００９】
したがって、アイポイントＰ１のように、ハンガーロッドＲの高さ位置に応じた窓部６４の高さ位置とユーザの目の高さ位置とが合致した場合には、窓部６４を通して内部に吊り下げ支持されている衣服の種類や着数を外部から視認することができる。しかし、アイポイントＰ２のように、ハンガーロッドＲの高さ位置に応じた窓部６４の高さ位置とユーザの目の高さ位置と不一致であり、目の高さが相対的に高い場合には、窓部６４を通して内部に吊り下げ支持されている衣服の種類や着数を外部から視認することが困難となる。
【００１０】
また、ハンガーロッドに係止された複数の各ハンガーに上着が掛けられている場合、上着が何着あるかを確認する際、上着の肩部を視認して数えるのが最も容易かつ正確に着数の確認が可能となる。すなわち、上着の場合、長袖、半袖、ノースリーブがあることから、袖の部分を視認して着数を数えると、半袖やノースリーブの上着を見落とし、正確に着数を数えられない場合が生ずる。したがって、ハンガーロッドに係止された各ハンガーに上着が掛けられている場合には、長袖、半袖、ノースリーブが全て有している上着の肩部を視認して数えるのが最も容易かつ正確に着数の確認が可能となる。
【００１１】
しかるに、従来の吊り下げ衣服収納具５１の場合、アイポイントＰ１のように、窓部６４の高さ位置とユーザの目の高さ位置とが合致していても、上着の肩部を視認することができない。このため、袖の部分を視認して着数を数えざるを得ず、収納されている上着の着数を確認する際に誤認が生じてしまう。
【００１２】
さらに、アイポイントＰ１のように、窓部６４の高さ位置とユーザの目の高さ位置とが合致していても、衣服が掛けられていない空のハンガーを容易に視認することもできない。したがって、吊り下げ衣服収納具５１内に衣服が掛けられていない空のハンガーがあるか否か、及び空のハンガーの数を視認することも困難となるものであった。
【００１３】
本発明は、このような従来の課題に鑑みてなされたものであり、内部に吊り下げ支持されている衣服の種類や着数、及び衣服が掛けられていない空のハンガーの有無及びその数を容易かつ正確に視認することのできるようにした吊り下げ衣服収納具を提供することを目的とするものである。
【００１４】
【課題を解決するための手段】
前記課題を解決するために請求項１に係る発明にあっては、上端から各々斜め下方に延在する前上面部及び後上面部と、これら前後各上面部の下端からコーナー部を介して下方に連なる前面部と後面部、これら前後各上面部と前面部と後面部の側縁に接合された左右側面部とを有し、前記前後各上面部の上端にハンガーロッドを内部に露呈させて該ハンガーロッドに係着する係着部が設けられるとともに、いずれかの面部に開閉手段が設けられ、衣服が掛けられるハンガーのフックを前記内部に露呈しているハンガーに係止する吊り下げ衣服収納具において、前記コーナー部を含み、前記前上面部と前面部とに亙る内部を透視可能な窓部を形成してある。
【００１５】
すなわち、内部を透視可能な窓部は、前上面部と前面部との間のコーナー部を含み、前上面部と前面部とに亘って形成されている。したがって、吊り下げ衣服収納具が係着されるハンガーロッドの高さ位置に応じて、窓部の高さ位置が異なり、かつ、ユーザの身長に応じて目の高さ位置も個々に異なっても、前上面部と前面部との間のコーナー部を含み、前上面部と前面部とに亘って形成されている窓部を通して、内部に吊り下げ支持されている衣服の種類や着数を外部から視認することができる。
【００１６】
また、ハンガーロッドに係止された各ハンガーに上着が掛けられている場合、コーナー部付近及び前上面部側の窓の一部から、ハンガーに掛けられている上着の肩部を視認することができる。したがって、各々ハンガーに掛けられた長袖、半袖、ノースリーブが混在して収納されている場合であっても、上着の肩部を視認することにより、収納されている上着の着数と種類とを誤認なく確認することができる。
【００１７】
さらに、前上面部側の窓の一部から、ハンガーロッドに係止されている衣服が掛けられていない空のハンガーや、ズボンのみが掛けられているハンガーがあるか否かを容易に視認することもできる。したがって、吊り下げ衣服収納具内に衣服が掛けられていない空のハンガーがあるか否か、及び空のハンガーの数を視認することも容易に可能となる。
【００１８】
また、請求項２に係る発明にあっては、前記開閉手段は、スライドファスナーであって前記窓部を回避した位置に設けられている。したがって、スライドファスナーが窓部を縦断する等により、窓部からの視認性が低下することはない。
【００１９】
また、請求項３に係る発明にあっては、前記スライドファスナーは、前記窓部を回避して前記前上面部と前面部とに亙って設けられている。したがって、前述のように、内部に吊り下げ支持されている衣服の種類や着数、及び衣服が掛けられていない空のハンガーの有無及びその数を容易かつ正確に視認しつつ、窓部と同様に前上面部と前面部とに亙って設けられているスライドファスナーのスライダーを操作して、吊り下げ衣服収納具を開くことができる。
【００２０】
また、請求項４に係る発明にあっては、前記前面部と後面部と左右側面部の下縁に接合された底面を更に有する。したがって、吊り下げ衣服収納具は袋状となり、内部への埃や繊維害虫等の侵入がより確実に防止される。
【００２１】
【発明の実施の形態】
以下、本発明の実施の形態を図に従って説明する。図１〜図４に示すように、この吊り下げ衣服収納具１は、複数着（例えば５着）の衣服を収納可能であって、窓部を除く全体が不織布等の可撓性を有する素材で形成され、上端部から各々斜め下方に延在する前上面部２と後上面部３とを有している。この前後各上面部２、３の下端には、コーナー部４、５を介して略垂直下方に連なる前面部６と後面部７とが連設されている。これら前後各上面部２、３と前面部６と後面部７の左側縁には、左側面部８の周縁が縫着されている。また、後上面部３と後面部７の左側縁及び前上面部２の右側縁であって下端よりもやや上部までには、右側面部９の周縁が縫着されている。さらに、前記前面部６と後面部７と左右側面部８、９の下縁には、底面部１０の周縁が縫着されている。
【００２２】
他方、前記前後各上面部２、３の上端には、係着部１１、１２が延設されている。一方の係着部１１は前上面部２から延設され、他方の係着部１２は後上面部３から延設されている。これら係着部１１、１２は、図５に示すように、不織布を二重にされ、一方の係着部１１の下面側と他方の係着部１２の上面側には、相互に係合する面ファスナー１６、１７が配設されてる。また、両係着部１１、１２と左右側面部８、９の上端部間には、孔１３が設けられている。
【００２３】
さらに、前記前上面部２の下端部と前面部６の上端部間には、前記コーナー部４を含み、前上面部２と前面部６とに亙る透明の樹脂シートからなる窓部１４が形成されている。この窓部１４は矩形であって、コーナー部４よりも前上面部２側の上窓部１４１と、コーナー部４よりも前面部６側の下窓部１４２とを一体的に有している。そして、窓部１４の左縦辺は左側面部８と、底辺は右側面部６と縫着され、上辺と右縦辺とは、スライドファスナー１５の一方のファスナーテープに縫着されている。
【００２４】
このスライドファスナー１５は倒立したＬ字状に配設され、窓部１４の上辺に沿って横方向に延在する横延在部１５１と、窓部１４の右縦辺に沿いかつ前面部６と右側面部９の対応する縁部に沿って底面部１０付近まで延在する縦延在部１５２とを一体的に有している。そして、スライドファスナー１５の一方のファスナーテープは、前述のように窓部１４の上辺と右縦辺とに縫着されるとともに前面部６の右縁部に縫着され、他方のファスナーテープは、前上面部２の下縁部及び右側面部９の前縁部に縫着されている。
【００２５】
以上の構成に係る本実施の形態において、使用に際しては図６に示すように、一方の係着部１２を洋服ダンスやクローゼット等のハンガーロッドＲの上面側に配置した後、この係着部１２に他方の係着部１１の端部を重ね合わせる。これにより、両面ファスナー１６、１７が相互に結合し、ハンガーロッドＲが孔１３に挿通された状態となって、衣服収納具１はハンガーロッドＲに吊り下げ支持される。この吊り下げ状態において、ハンガーロッドＲは吊り下げ衣服収納具１の内部にて、係着部１１、１２の下部に露呈している。
【００２６】
そして、衣服を収納するに際しては、スライドファスナー１５のスライダーを操作して開口し、予めハンガーに掛けておいた衣服を内部に入れ、ハンガーのフックを内部に露呈しているハンガーロッドＲに係止する。しかる後に、スライドファスナー１５を閉じて、各々ハンガーに掛けられた複数着の衣服を保存し、あるいはスライドファスナー１５を開いてハンガーに掛けられている衣服をハンガーごと取り出す。
【００２７】
若しくは、スライドファスナー１５のスライダーを操作して開口し、予め複数本のハンガーの各フックを内部に露呈しているハンガーロッドＲに係止しておく。そして、適宜スライドファスナー１５のスライダーを操作して開閉し、ハンガーロッドＲに係止されているハンガーに衣服を掛けたり、ハンガーに掛けられている衣服を取り出したりして使用する。
【００２８】
また、スライドファスナー１５が閉じている状態で外部から、内部に吊り下げ支持されている衣服の種類や着数、及び衣服が掛けられていない空のハンガーの有無及びその数を確認際には、窓部１４を通して内部を視認する。このとき、吊り下げ衣服収納具１が係着されるハンガーロッドＲの高さ位置に応じて、窓部１４の高さ位置が異なり、かつ、ユーザの身長に応じて目の高さ位置も個々に異なることから、図１に示したように、窓部１４から内部の覗く際のユーザの目の高さ位置であるアイポイントＰ１、Ｐ２、Ｐ３・・・は千差万別となる。
【００２９】
しかし、窓部１４は、前上面部２と前面部６との間のコーナー部４を含み、前上面部２と前面部６とに亘って形成されている。したがって、いずれのアイポイントＰ１、Ｐ２、Ｐ３・・・からであっても、透明の窓部１４を通して、内部に吊り下げ支持されている衣服の種類や着数を外部から視認することができる。
【００３０】
また、ハンガーロッドＲに係止された各ハンガーに上着が掛けられている場合、主としてコーナー部４付近及びコーナー部４よりも前上面部２側の上窓部１４１から、ハンガーに掛けられている上着の肩部を視認することができる。したがって、各々ハンガーに掛けられた長袖、半袖、ノースリーブが混在して収納されている場合であっても、上着の肩部を視認することにより、収納されている上着の着数と種類とを誤認なく確認することができる。
【００３１】
さらに、コーナー部４付近及び上窓部１４１から、ハンガーロッドＲに係止されている衣服が掛けられていない空のハンガー、あるいはズボンのみが掛けられているハンガーを容易に視認することもできる。したがって、吊り下げ衣服収納具１内に衣服が掛けられていない空のハンガーやズボンのみが掛けられているハンガーがあるか否か、及び空のハンガーの数を視認することも容易に可能となる。
【００３２】
しかも、本実施の形態においては、スライドファスナー１５が窓部１４を回避して配置されていることから、スライドファスナーが窓部１４を縦断する等により、窓部１４からの視認性が低下することなく、窓部１４の全域に亘って良好な視認性を確保することもできる。
【００３３】
なお、本実施の形態においては、底面部１０を設けて吊り下げ衣服収納具１内部への埃や繊維害虫等の侵入をより確実に防止するようにしたが、底面部１０を省略してもよい。また、スライドファスナー１５の配置形態や配置面も実施の形態に示したものに限らず、直線状であったり他の面に設けるようにしてもよい。
【００３４】
【発明の効果】
以上説明したように本発明によれば、吊り下げ衣服収納具が係着されるハンガーロッドの高さ位置に応じて、窓部の高さ位置が異なり、かつ、ユーザの身長に応じて目の高さ位置も個々に異なっても、前上面部と前面部との間のコーナー部を含み、前上面部と前面部とに亘って形成されている内部を透視可能な窓部を通して、内部に吊り下げ支持されている衣服の種類や着数を外部から視認することができる。
【００３５】
また、各々ハンガーに掛けられた上着の長袖、半袖、ノースリーブが混在して収納されている場合であっても、上着の肩部を視認することにより、収納されている上着の着数と種類とを誤認なく確認することができる。
【００３６】
さらに、ハンガーロッドに係止されている衣服が掛けられていない空のハンガーを容易に視認することもでき、吊り下げ衣服収納具内に衣服が掛けられていない空のハンガーがあるか否か、及び空のハンガーの数を視認することも容易に可能となる。
【００３７】
よって、内部に吊り下げ支持されている衣服の種類や着数、及び衣服が掛けられていない空のハンガーやズボンのみが掛けられているハンガーの有無、及び空のハンガーの数を容易かつ正確に視認することが可能となる。
【図面の簡単な説明】
【図１】本発明の一実施の形態を示す斜視図である。
【図２】同正面図である。
【図３】同平面図である。
【図４】同右側面図である。
【図５】図４のＡ−Ａ端面部である。
【図６】使用状態を示す斜視図である。
【図７】従来技術を示す斜視図である。
【符号の説明】
１    衣服収納具
２    前上面部
３    後上面部
４    コーナー部
６    前面部
７    後面部
８    左側面部
９    右側面部
１０    底面部
１１    係着部
１２    係着部
１３    孔
１４    窓部
１５    スライドファスナー
１４１    上窓部
１４２    下窓部
１５１    横延在部
１５２    縦延在部
Ｒ    ハンガーロッド
【図１】
2004173882.tif 000003
【図２】
2004173882.tif 000004
【図３】
2004173882.tif 000005
【図４】
2004173882.tif 000006
【図５】
2004173882.tif 000007
【図６】
2004173882.tif 000008
【図７】
2004173882.tif 000009